(57)【特許請求の範囲】
【請求項１】
搬送される記録媒体の大きさを設定するための設定手段と、
搬送路上を搬送される記録媒体に対して画像データに対応した画像を形成する画像形成手段と、
前記画像形成手段を含む第１のユニットと、
前記搬送路の一部を含み、前記第１のユニットに対して着脱自在に設けられた第２のユニットと、
前記第１のユニットと前記第２のユニットとの境界から所定距離だけ離れた位置に配置され、前記搬送路上を搬送されている記録媒体の詰まりを検知する検知手段と、
前記検知手段により検知された検知結果、及び、前記所定距離と前記設定手段により設定された大きさの記録媒体の長さとの比較結果に基づいて前記記録媒体の詰まりが発生した詰まり位置を判別する判別手段と、
前記判別手段により前記記録媒体の詰まりが発生したと判別されたのに基づいて、各ユニットでの前記記録媒体の詰まりの処理を優先度の高い順に誘導するように報知する報知手段と、
を有し、
前記判別手段は、前記検知手段により記録媒体の詰まりを検知し且つ記録媒体の長さが前記所定距離より長い場合に前記境界にて前記記録媒体の詰まりが発生したと判別し、また、前記検知手段により記録媒体の詰まりを検知し且つ記録媒体の長さが前記所定距離より短い場合に前記境界にて前記記録媒体の詰まりが発生していないと判別し、
前記報知手段は、前記境界にて前記記録媒体の詰まりが発生したと判別されたのに基づいて、前記境界での前記記録媒体の詰まりを、他のユニットでの前記記録媒体の詰まりとは異なるように報知することを特徴とする画像形成装置。
【請求項２】
前記報知手段は、複数のランプを有し、前記記録媒体の詰まりが発生した位置を前記ランプを点滅させて報知するものであり、
前記記録媒体の詰まりが前記境界にて発生した際に、記録媒体の詰まりが発生した各ユニットに対応するランプを同時に点滅させるとともに、ランプの点滅サイクルを変化させて優先度の高い順に処理箇所を誘導することを特徴とする請求項１に記載の画像形成装置。
【請求項３】
前記報知手段は、複数のランプを有し、前記記録媒体の詰まりが発生した位置を前記ランプを点灯または点滅させて報知するものであり、
前記記録媒体の詰まりが前記境界にて発生した際に、記録媒体の詰まりを処理する優先度の最も高いユニットに対応するランプを点滅させるとともに、他のユニットに対応するランプを点灯させて処理箇所を誘導することを特徴とする請求項１に記載の画像形成装置。
【請求項４】
前記報知手段は、複数のランプを有し、前記記録媒体の詰まりが発生した位置を前記ランプを点灯させて報知するものであり、
前記記録媒体の詰まりが前記第１及び前記第２のユニットのいづれか一方のユニットで発生した場合には、記録媒体の詰まりが発生したユニットに対応するランプのみを点灯させて処理を誘導し、前記境界にて記録媒体の詰まりが発生した場合には、最初に前記第１のユニットに対応するランプのみを点灯させて処理を誘導した後、前記第１のユニットに対応するランプを消灯し、前記第２のユニットに対応するランプを点灯させて処理を誘導することを特徴とする請求項１に記載の画像形成装置。
【請求項５】
前記報知手段は、複数のランプを有し、前記記録媒体の詰まりが発生した位置を前記ランプを点滅させて報知するものであり、
前記記録媒体の詰まりが前記第１及び前記第２のユニットのいづれか一方のユニットで発生した場合には、記録媒体の詰まりが発生したユニットに対応するランプのみを点滅させて処理を誘導し、前記境界にて記録媒体の詰まりが発生した場合には、最初に前記第１のユニットに対応するランプのみを点滅させて処理を誘導した後、前記第１のユニットに対応するランプを消灯し、前記第２のユニットに対応するランプを点滅させて処理を誘導することを特徴とする請求項１に記載の画像形成装置。
【請求項６】
前記報知手段は、複数のランプを有し、前記記録媒体の詰まりが発生した位置を前記ランプを点滅させて報知するものであり、
前記記録媒体の詰まりが前記第１及び前記第２のユニットのいづれか一方のユニットで発生した場合には、記録媒体の詰まりが発生したユニットに対応するランプのみを点滅させて処理を誘導し、前記境界にて記録媒体の詰まりが発生した場合には、前記第１及び第２のユニットに対応するランプを同時に点滅させるとともに、前記第１のユニットに対応するランプを前記第２のユニットに対応するランプより速いサイクルで点滅させて処理を誘導することを特徴とする請求項１に記載の画像形成装置。
【請求項７】
前記報知手段は、複数のランプを有し、前記記録媒体の詰まりが発生した位置を前記ランプを点灯または点滅させて報知するものであり、
前記記録媒体の詰まりが前記第１及び前記第２のユニットのいづれか一方のユニットで発生した場合には、記録媒体の詰まりが発生したユニットに対応するランプのみを点灯または点滅させて処理を誘導し、前記境界にて記録媒体の詰まりが発生した場合には、前記第１のユニットに対応するランプを点滅させるとともに、前記第２のユニットに対応するランプを点灯させて処理を誘導することを特徴とする請求項１に記載の画像形成装置。
【発明の詳細な説明】
【０００１】
【発明の属する技術分野】
この発明は、静電写真プロセスにより感光体に画像を形成する画像形成装置に係り、特に、画像形成動作中に紙詰まりが発生した場合にユーザが効率的に処理できる画像形成装置に関する。
【０００２】
【従来の技術】
静電写真プロセスが利用されている画像形成装置、例えば静電式複写装置は、複写対象物の画像を読み取る画像読取部、及びこの画像読取部を介して読み取られた画像に基づいて複写像を形成して被転写材上に出力する画像形成部を含んでいる。この画像形成部は、被転写材、すなわち用紙を収容部から１枚ずつ取り出して搬送し、複写像が転写・定着された用紙を排出口まで導く搬送路を有している。
【０００３】
上述したような静電式複写装置は、画像形成動作中に、画像形成部の搬送路中で用紙が詰まる、いわゆるジャムが発生した場合、ジャムの発生場所をユーザに報知するＬＥＤユニットを含む操作パネルを有している。
【０００４】
ＬＥＤユニットは、操作パネル内の複写装置の概略断面図中に配置されている。このＬＥＤユニットは、搬送路中に所定の間隔で配置されたジャムセンサからの出力信号に応じて、ジャムを検知した際に点灯する。
【０００５】
このＬＥＤユニットは、同時に複数の場所でジャムが発生した場合、または、複数の場所でジャム処理を必要とする場合、複数のジャム発生場所、またはジャム処理を必要とする場所に相当するＬＥＤをすべて同時に点灯させることにより、ユーザに対して報知するものである。
【０００６】
【発明が解決しようとする課題】
しかしながら、このように複数のジャム発生場所、または複数のジャム処理を必要とする場所に相当するＬＥＤをすべて同時に点灯させることにより、ユーザに対して、ジャム処理の手順を報知することはできない。
【０００７】
すなわち、複写装置本体から引出し可能なユニット、例えば用紙を収納する用紙カセット、用紙の両面に画像を形成するための用紙反転機構を含む自動両面装置（ＡＤＵ）や、感光体ドラム周辺の搬送路でジャムが発生した場合に、これらに相当するＬＥＤを同時に点灯させると、ユーザにより用紙カセットやＡＤＵが複写装置本体から引き出される。ジャムを引き起こした用紙が引出し可能なユニット及び装置本体の両方に掛かっている状態で引出し可能なユニットが引き出されることにより、用紙が引き裂かれて散乱したり、装置本体内部を紙片で汚す虞がある。
【０００８】
このため、ジャム発生から復帰するまでに長時間を必要とし、効率的にジャム処理することが困難となる場合がある。
この発明の目的は、ジャム処理を効率的に達成できる画像形成装置を提供することにある。
【０００９】
【課題を解決するための手段】
この発明は、上記問題点に基づきなされたもので、
搬送路上を搬送される記録媒体に対して画像データに対応した画像を形成する画像形成手段と、
前記搬送路上を搬送されている記録媒体の詰まりを検知する検知手段と、
複数のランプを有し、前記検知手段で検知された検知結果に基づいて記録媒体の詰まりが発生した位置を前記ランプを点灯させて報知する報知手段と、
前記記録媒体の詰まりの処理を優先度の高い順に誘導するように前記報知手段のランプを点灯させる制御手段と、
を有することを特徴とする画像形成装置を提供するものである。
【００１０】
また、この発明によれば、
搬送路上を搬送される記録媒体に対して画像データに対応した画像を形成する画像形成手段と、
前記搬送路上を搬送されている記録媒体の詰まりを検知する検知手段と、
複数のランプを有し、前記検知手段で検知された検知結果に基づいて記録媒体の詰まりが発生した位置を前記ランプを点滅させて報知する報知手段と、
前記記録媒体の詰まりの処理を優先度の高い位置に相当するランプの点滅サイクルを変化させて優先度の高い順に処理箇所を誘導するように制御する制御手段と、
を有することを特徴とする画像形成装置が提供される。
【００１１】
さらに、この発明によれば
搬送路上を搬送される記録媒体に対して画像データに対応した画像を形成する画像形成手段と、
前記搬送路上を搬送されている記録媒体の詰まりを検知する検知手段と、
複数のランプを有し、前記検知手段で検知された検知結果に基づいて記録媒体の詰まりが発生した位置を前記ランプを点滅させて報知する報知手段と、
前記記録媒体の詰まりが複数のユニットにわたって発生した際に、記録媒体の詰まりが発生した前記複数のユニットに対応するランプを同時に点滅させるとともに、ランプの点滅サイクルを変化させて優先度の高い順に処理箇所を誘導するように制御する制御手段と、
を有することを特徴とする画像形成装置が提供される。
【００１２】
またさらに、この発明によれば、
搬送路上を搬送される記録媒体に対して画像データに対応した画像を形成する画像形成手段と、
前記搬送路上を搬送されている記録媒体の詰まりを検知する検知手段と、
複数のランプを有し、前記検知手段で検知された検知結果に基づいて記録媒体の詰まりが発生した位置を前記ランプを点灯または点滅させて報知する報知手段と、
前記記録媒体の詰まりが複数のユニットにわたって発生した際に、記録媒体の詰まりを処理する優先度の最も高いユニットに対応するランプを点滅させるとともに、他のユニットに対応するランプを点灯させて処理箇所を誘導するように制御する制御手段と、
を有することを特徴とする画像形成装置が提供される。
【００１３】
さらにまた、この発明によれば、
搬送路上を搬送される記録媒体に対して画像データに対応した画像を形成する画像形成手段と、
前記画像形成手段を含み、前記搬送路を開放可能に設けられた第１のユニットと、
前記搬送路の一部を含み、前記第１のユニットに対して着脱自在に設けられた第２のユニットと、
前記搬送路上を搬送されている記録媒体の詰まりを検知する検知手段と、
複数のランプを有し、前記検知手段で検知された検知結果に基づいて記録媒体の詰まりが発生した位置を前記ランプを点灯させて報知する報知手段と、
前記記録媒体の詰まりが前記第１及び前記第２のユニットのいづれか一方のユニットで発生した場合には、記録媒体の詰まりが発生したユニットに対応するランプのみを点灯させて処理を誘導し、前記第１及び第２のユニットにわたって記録媒体の詰まりが発生した場合には、最初に前記第１のユニットに対応するランプのみを点灯させて処理を誘導した後、前記第１のユニットに対応するランプを消灯し、前記第２のユニットに対応するランプを点灯させて処理を誘導するように制御する制御手段と、
を有することを特徴とする画像形成装置が提供される。
【００１４】
またさらに、この発明によれば、
搬送路上を搬送される記録媒体に対して画像データに対応した画像を形成する画像形成手段と、
前記画像形成手段を含み、前記搬送路を開放可能に設けられた第１のユニットと、
前記搬送路の一部を含み、前記第１のユニットに対して着脱自在に設けられた第２のユニットと、
前記搬送路上を搬送されている記録媒体の詰まりを検知する検知手段と、
複数のランプを有し、前記検知手段で検知された検知結果に基づいて記録媒体の詰まりが発生した位置を前記ランプを点滅させて報知する報知手段と、
前記記録媒体の詰まりが前記第１及び前記第２のユニットのいづれか一方のユニットで発生した場合には、記録媒体の詰まりが発生したユニットに対応するランプのみを点滅させて処理を誘導し、前記第１及び第２のユニットにわたって記録媒体の詰まりが発生した場合には、最初に前記第１のユニットに対応するランプのみを点滅させて処理を誘導した後、前記第１のユニットに対応するランプを消灯し、前記第２のユニットに対応するランプを点滅させて処理を誘導するように制御する制御手段と、
を有することを特徴とする画像形成装置が提供される。
【００１５】
さらにまた、この発明によれば、
搬送路上を搬送される記録媒体に対して画像データに対応した画像を形成する画像形成手段と、
前記画像形成手段を含み、前記搬送路を開放可能に設けられた第１のユニットと、
前記搬送路の一部を含み、前記第１のユニットに対して着脱自在に設けられた第２のユニットと、
前記搬送路上を搬送されている記録媒体の詰まりを検知する検知手段と、
複数のランプを有し、前記検知手段で検知された検知結果に基づいて記録媒体の詰まりが発生した位置を前記ランプを点滅させて報知する報知手段と、
前記記録媒体の詰まりが前記第１及び前記第２のユニットのいづれか一方のユニットで発生した場合には、記録媒体の詰まりが発生したユニットに対応するランプのみを点滅させて処理を誘導し、前記第１及び第２のユニットにわたって記録媒体の詰まりが発生した場合には、前記第１及び第２のユニットに対応するランプを同時に点滅させるとともに、前記第１のユニットに対応するランプを前記第２のユニットに対応するランプより速いサイクルで点滅させて処理を誘導するように制御する制御手段と、
を有することを特徴とする画像形成装置が提供される。
【００１６】
またさらに、この発明によれば、
搬送路上を搬送される記録媒体に対して画像データに対応した画像を形成する画像形成手段と、
前記画像形成手段を含み、前記搬送路を開放可能に設けられた第１のユニットと、
前記搬送路の一部を含み、前記第１のユニットに対して着脱自在に設けられた第２のユニットと、
前記搬送路上を搬送されている記録媒体の詰まりを検知する検知手段と、
複数のランプを有し、前記検知手段で検知された検知結果に基づいて記録媒体の詰まりが発生した位置を前記ランプを点灯または点滅させて報知する報知手段と、
前記記録媒体の詰まりが前記第１及び前記第２のユニットのいづれか一方のユニットで発生した場合には、記録媒体の詰まりが発生したユニットに対応するランプのみを点灯または点滅させて処理を誘導し、前記第１及び第２のユニットにわたって記録媒体の詰まりが発生した場合には、前記第１のユニットに対応するランプを点滅させるとともに、前記第２のユニットに対応するランプを点灯させるように制御する制御手段と、
を有することを特徴とする画像形成装置が提供される。
【００１７】
【発明の実施の形態】
以下、図面を参照してこの発明の実施の形態について詳細に説明する
図１は、この発明の画像形成装置を概略的に示す断面図である。
図１に示すように、画像形成装置すなわち電子写真式ディジタル複写装置２は、読み取り手段として機能する画像読取部４と画像形成手段として機能する画像形成部６とを有している。なお、画像読取部４の上部には、画像読取部４の後述する原稿台に対して開閉可能に形成され、読取対象物すなわち原稿Ｄを、原稿台に向けて１枚ずつ給送するとともに、原稿台に載置された原稿Ｄを原稿台に密着させる原稿押さえとして機能する原稿自動給送装置 (以下、ＡＤＦと示す) ８がセットされている。
【００１８】
この電子写真式ディジタル複写装置２は、一方の側面、すなわち図１では右側面に沿って設けられた回動軸５を有し、この回動軸５を中心に図中に示した矢印の方向に回動可能な筐体３（いわゆるクラムシェル）を有している。筐体３が回動することにより、図中の破線Ａに沿って装置本体が分離され、画像形成部６、特に後述する感光体ドラムの周囲の搬送路が開放可能となる。
【００１９】
画像読取部４は、その上部に、閉じた状態にあるＡＤＦ８に対向され、原稿Ｄがセットされる透明なガラスからなる原稿台１１と、原稿台１１の一端に配置され、原稿台１１に原稿Ｄをセットする際の基準位置を示すサイズ板１２とを有している。なお、原稿台１１を取り巻く原稿台１１の近傍には、図２に示したような操作パネル２００が配置されている。
【００２０】
原稿台１１の下方には、画像読取部４の構成として、原稿台１１に載置された原稿Ｄを照明する露光ランプ１３、露光ランプ１３からの光を原稿Ｄに集光させるための補助反射板１４、及び、原稿Ｄからの反射光を図中左方向に折曲げる第１ミラー１５などが配置されている。露光ランプ１３、補助反射板１４および第１ミラー１５は、第一キャリッジ１６に固定されており、第一キャリッジ１６の移動にともなって原稿台１１と平行に移動可能に配置されている。なお、第一キャリッジ１６は、図示しない歯付きベルト等を介して図示しないパルスモータの駆動力が伝達されて、原稿台１１に沿って平行に移動される。
【００２１】
原稿台１１の図中左方、第１ミラー１５により反射された反射光が案内される方向には、図示しない駆動機構たとえば歯付きベルトならびにＤＣモータなどを介して原稿台１１と平行に移動可能に形成された第二キャリッジ２０が配設されている。
【００２２】
第二キャリッジ２０には、第１ミラー１５により案内される原稿Ｄからの反射光を下方に折曲げる第２ミラー２１および図中右方に折り曲げる第３ミラー２２が互いに直角に配置されている。第二キャリッジ２０は、第一キャリッジ１６を駆動する図示しない歯付きベルトなどにより第一キャリッジ１６に従動されるとともに、第一キャリッジ１６に対して１／２の速度で原稿台１１に沿って平行に移動される。
【００２３】
第一キャリッジ１６の下方であって、第二キャリッジ２０を介して折返された光の光軸を含む面内には、第二キャリッジ２０からの反射光を所定の倍率で結像させる結像レンズ２３、及び、結像レンズ２３により集束性が与えられた反射光を電気信号すなわち画像データに変換するＣＣＤイメージセンサ２４が配置されている。
【００２４】
画像形成部６は、複写装置２のほぼ中央に回転自在に位置された像担持体としての感光体ドラム３０を有している。感光体ドラム３０は、図示しないモータにより所定の回転速度で回転される。
【００２５】
感光体ドラム３０の周囲の所定の位置には、ドラム表面を所定の電荷に帯電させる帯電チャージャ３１、感光体ドラム３０の表面に画像データに対応したレーザビームを露光するすることで感光体ドラム３０の表面に静電潜像を形成する光走査装置、すなわちレーザ露光装置３２、レーザ露光装置３２による露光により感光体ドラム３０の表面上に形成された静電潜像に現像剤としてのトナーを供給して所望の画像濃度で現像する現像ローラ３３ａを有する現像装置３３、後述する用紙カセットから給紙された被転写材すなわちコピー用紙Ｐに感光体ドラム３０に形成されたトナー像を転写するとともにトナー像が転写された用紙Ｐを感光体ドラム３０から分離させるための転写・剥離チャージャ３４、感光体ドラム３０の表面からコピー用紙Ｐを剥離する剥離爪３５、感光体ドラム３０の表面に残留したトナーを清掃するクリーニング装置３６、及び、感光体ドラム３０の表面に残った電位を除電する除電装置３７が、順に、配置されている。
【００２６】
感光体ドラム３０の下方に位置される複写装置２の底部には、複写装置２の正面側より着脱自在に上下複数段に装着された給紙手段としての多段給紙装置 (以下、ＰＦＰと示す) ４０が複写装置２と一体的に配置されている。
【００２７】
ＰＦＰ４０は、さまざまな大きさのコピー用紙Ｐを複数種類収納するための上段カセット４１、中段カセット４２および下段カセット４３を含み、それぞれのカセット４１，４２および４３は、たとえば、長手方向に沿って搬送されるよう置かれたＡ４サイズのコピー用紙、Ｂ４サイズのコピー用紙およびＡ３サイズのコピー用紙を、それぞれ、５００枚程度収納可能に形成されている。
【００２８】
上段カセット４１、中段カセット４２および下段カセット４３の所定の位置には、それぞれのカセット４１，４２および４３から用紙Ｐを１枚づつ取り出すピックアップローラ４４ａ，４４ｂおよび４４ｃが配置されている。
【００２９】
それぞれのピックアップローラ４４ａ，４４ｂおよび４４ｃにより各カセット４１，４２および４３から取り出された用紙Ｐの先端部が通過される位置には、用紙Ｐを１枚づつ分離するための搬送ローラ４５ａ，４５ｂおよび４５ｃと、それぞれの搬送ローラと一体的に配置された分離ローラ４６ａ，４６ｂおよび４６ｃが配置されている。分離ローラ４６ａ，４６ｂおよび４６ｃは、それぞれ、相互に組み合わせられた搬送ローラに対して軸線が平行に、かつ、所定の圧力で接触するよう配置されるとともに、搬送ローラの回転方向と逆方向に回転されることで、各カセットから取り出された用紙Ｐの最も上の１枚のみを後述する搬送路へ送出する。
【００３０】
ＰＦＰ４０の図中右方には、使用頻度の高いサイズの用紙Ｐ、たとえば、Ａ４サイズの用紙Ｐを３０００枚程度収納可能に形成された大容量フィーダ (以下、ＬＣＦと示す) ４７が設けられている。ＬＣＦ４７の所定の位置には、ＬＣＦ４７に収容された用紙Ｐを１枚づつ取り出すピックアップローラ４８が配置されている。ピックアップローラ４８と感光体ドラム３０との間には、上下一対に組み合わせられた搬送ローラ４９ａおよび分離ローラ４９ｂを含む分離機構４９が配置されている。分離機構４９は、分離ローラ４９ｂを搬送ローラ４９ａが回転される方向に対して逆方向に回転させることで、ピックアップローラ４８によりＬＣＦ４７から取り出された用紙Ｐの最も上の１枚のみを後述する搬送路へ送出する。
【００３１】
ＬＣＦ４７の上部には、各カセット４１，４２，４３およびＬＣＦ４７とは独立に、コピー用紙Ｐを給送可能な手差しフィーダ５０が形成されている。手差しフィーダ５０と感光体ドラム３０との間には、手差しフィーダ５０に挿入された用紙Ｐを取り込む手差し用ピックアップローラ５１、ピックアップローラ５１により取り込まれた用紙Ｐをガイドする手差しガイド５２、及び、手差しガイド５２を介して感光体ドラム３０に向かって案内される用紙Ｐを搬送する搬送ローラ５３が設けられている。
【００３２】
それぞれのカセット４１，４２および４３ならびにＬＣＦ４７と感光体ドラム３０との間には、各カセット４１，４２および４３ならびにＬＣＦ４７から感光体ドラム３０に向かって用紙Ｐを案内する搬送路５４が形成されている。この搬送路５４は、さらに、感光体ドラム３０と転写・剥離チャージャ３４との間に規定される転写領域を経て、複写装置２の外部まで延出されている。また、搬送路５４には、いずれかのカセットまたはＬＣＦもしくは手差しガイドから給送された用紙Ｐを、感光体ドラム３０に向かって搬送するための複数の搬送ローラ５５が設けられている。
【００３３】
搬送路５４の感光体ドラム３０の近傍、かつ、上流側には、搬送路５４を案内されたコピー用紙Ｐの傾きを補正するとともに、感光体ドラム３０上のトナー像の先端とコピー用紙Ｐの先端とを整合させ、感光体ドラム３０の外周面の移動速度と同じ速度でコピー用紙Ｐを、転写領域へ給紙するアライニングローラ５６が配設されている。また、アライニングローラ５６の手前すなわち搬送ローラ５５側には、アライニングローラ５６へのコピー用紙Ｐの到達を検出するアライニングセンサ５６ａが設けられている。
【００３４】
転写領域を通過された用紙Ｐが進行する方向には、用紙Ｐを搬送する搬送ベルト５７が組み込まれている。搬送ベルト５７により用紙Ｐが搬送される方向であって、感光体ドラム３０に対して熱を与えにくい位置には、ローラ表面が互いに圧接されたヒートローラ対を含み、トナー像が転写された用紙Ｐを加熱することでトナー像を溶融させつつトナー像と用紙Ｐとを加圧して用紙Ｐにトナー像を定着させる定着装置５８が設けられている。
【００３５】
定着装置５８に対向した複写装置２の側壁には、定着装置５８によりトナー像が定着された用紙Ｐが排出される排出トレイ５９が配置されている。
定着装置５８と排出トレイ５９との間には、定着装置５８によりトナー像が定着されたコピー用紙Ｐを、後述する用紙反転部あるいは排出トレイ５９のいづれかに案内する排出切換ユニット６０が配置されている。
【００３６】
排出切換ユニット６０は、定着装置５８を通過された用紙Ｐを推進する第１および第２の排出ローラ６１および６２、及び、第１および第２の排出ローラ６１および６２の間に配置され、定着装置５８を通過されたコピー用紙Ｐを、排出トレイ５９あるいは後述する用紙反転部のいづれかに選択的に振り分ける振り分けゲート６３を有している。
【００３７】
用紙反転機構を含む自動両面装置（以下、ＡＤＵと称する）６４は、既に転写領域および定着装置５８を通過されたコピー用紙Ｐを一時的に集積する一時集積部６５、定着装置５８を通過したコピー用紙Ｐの表裏を反転して一時集積部６５に導く反転路６６、一時集積部に集積されたコピー用紙Ｐを一枚づつ取り出すピックアップローラ６７ａ、用紙Ｐを一枚づつ分離するために一対に配置された搬送ローラ６７ｂ及び分離ローラ６７ｃ、一時集積部６５に収容された用紙Ｐを再びアライニングローラ５６に案内する反転搬送路６８、及び、反転搬送路６８に案内された用紙Ｐをアライニングローラ５６に向かって給紙する給紙ローラ６９を有している。
【００３８】
また、ＡＤＵ６４は、前述したＰＦＰ４０と同様に、複写装置２の正面側より着脱自在に複写装置２に装着されている。
ＡＤＦ８は、カバー７１を有し、カバー７１の後端縁部が複写装置２の上面後端縁部に図示しないヒンジ装置を介して取付けられており、必要に応じてＡＤＦ８全体を回動変位させることで、既に得に説明したように、画像読取部４の原稿台１１に対して開閉可能に形成されている。
【００３９】
カバー７１の上面やや左方向部位には、複数枚の原稿Ｄを保持する原稿給紙台７２が設けられている。原稿給紙台７２の図中左方すなわちＡＤＦ８の一端側には、原稿給紙台７２にセットされた原稿Ｄを順次一枚ずつ取出すとともに、図中左端側から画像読取部４の原稿台１１の一端側に供給するためのピックアップローラ７３が配置されている。原稿給紙台７２の所定の位置には、原稿給紙台７２への原稿Ｄがセットされたか否かを検知する原稿検知センサとしてのエンプテイセンサ７２ａが配設されている。なお、原稿給紙台７２には、原稿台１１に原稿Ｄがセットされた位置を検知する原稿位置検知センサ１７と同様に機能する図示しない原稿幅検知センサが配置されてもよい。
【００４０】
ピックアップローラ７３の原稿取出し方向には、ピックアップローラ７３により取り出された原稿Ｄを原稿台１１に向けて送出する給紙ローラ７４、給紙ローラ７４により給送された原稿Ｄの先端を整位するアライニングローラ７５が配置されている。なお、アライニングローラ７５と給紙ローラ７４との間には、原稿Ｄのアライニングローラ７５への到達を検出するアライニングセンサ７５ａが配置されている。
【００４１】
カバー７１の内側であって、ＡＤＦ８が閉じられた状態で画像読取部４の原稿台１１と対向される位置には、原稿台１１のほぼ全体を覆う大きさが与えられ、ピックアップローラ７３、給紙ローラ７４およびアライニングローラ７５を介して原稿給紙台７２から搬送された原稿Ｄを原稿台１１の所定の位置に搬送する搬送ベルト７６が配置されている。搬送ベルト７６は、図中左右一対に配置されたベルトローラ７７に掛渡され、図示しないベルト駆動機構によって、図中右側および図中左側の両方向に向けて回転される。
【００４２】
ＡＤＦ８の右側部位には、搬送ベルト７６により図中左側から図中右側に移動される原稿Ｄをカバー７１の外側に向けて送出する反転ローラ７８、反転ローラ７８に原稿Ｄを押し付けるピンチローラ７９、反転ローラ７８とピンチローラ７９により搬送される原稿Ｄを、再び搬送ベルト７６へ戻すか所定の排出位置すなわちカバー７１上に排出させるかを切り換えるフラッパ８０、フラッパ８０が排出側に切り換えられている場合に、反転ローラ７８により搬送された原稿Ｄを排出させる排紙ローラ８１、及び、反転ローラ７８の近傍での原稿の用紙詰まり、すなわちジャムを検知するジャムセンサ８２などが配置されている。
【００４３】
また、複写装置２は、いずれかのカセットまたはＬＣＦもしくは手差しガイドから給送された用紙Ｐを、感光体ドラム３０を介してＡＤＵ６４または複写装置の外部に向けて搬送する搬送路５４中にジャムを検知するジャムセンサが配置されている。
【００４４】
搬送路５４中に配置されたジャムセンサは、例えば図３に示すような位置に配置されている。
図３に示すように、ジャムセンサＳＡは、上段の用紙カセット４１または中段もしくは下段の用紙カセット４２、４３から取り出された用紙が画像形成部６に向けて搬送される搬送路中に配置されている。
【００４５】
ジャムセンサＳＢは、中段の用紙カセット４２または下段の用紙カセット４３から取り出された用紙が画像形成部６に向けて搬送される搬送路中に配置されている。
【００４６】
ジャムセンサＳＣは、下段の用紙カセット４３から取り出された用紙が画像形成部６に向けて搬送される搬送路中に配置されている。
ジャムセンサＳ１は、ＡＤＵ６４またはいづれかのカセット４１〜４３から取り出された用紙が画像形成部６に向けて搬送される搬送路中に配置されている。
【００４７】
ジャムセンサＳ２は、ＡＤＵ６４と画像形成部６との間の搬送路中に配置され、特に、ＡＤＵ６４側から画像形成部６に搬送される搬送路の入口近傍に配置されている。そして、このジャムセンサＳ２が配置されている搬送路は、手差しフィーダ５０またはＡＤＵ６４もしくはいづれかのカセット４１〜４３から取り出された用紙が搬送される。
【００４８】
ジャムセンサＳ３は、ＡＤＵ６４と画像形成部６との間の搬送路中に配置され、特に、用紙の搬送方向に沿ってアライニングローラ５６近傍の上流側の搬送路中に配置されている。
【００４９】
ジャムセンサＳ４は、用紙の搬送方向に沿って定着装置５８近傍の下流側の搬送路中に配置されている。
ジャムセンサＳ５は、ＡＤＵ６４内の搬送路６６中に配置され、特に、ＡＤＵ６４への搬送路の入口から所定の距離Ｌだけ下流側に離れた位置に配置されいる。
【００５０】
ジャムセンサＳ６は、ＡＤＵ６４の一時集積部６５に配置されている。
これらのジャムセンサＳＡ〜ＳＣ、及びＳ１〜Ｓ６は、例えば一対の発光素子と受光素子とからなり、通常、発光素子から受光素子に向けて光ビームが出射され、受光素子で光ビームが受光されている間はジャムセンサは、オフ状態となる。そして、搬送されてきた用紙がこの発光素子と受光素子との間に位置すると、発光素子からの光ビームが用紙によって遮られ、受光素子に光ビームが入射しなくなり、ジャムセンサはオン状態となる。
【００５１】
このような搬送路中に配置された複数のジャムセンサが、ＡＤＵまたはいづれかのカセットから取り出された用紙が搬送されている間、順次、所定のタイミングでオン／オフすることにより、用紙が正常に搬送されているか否かが検知される。
【００５２】
図２は、図１に示した複写装置に組み込まれる操作パネルの例を示す概略平面図である。
図２に示されるように、操作パネル２００は、装置本体２および原稿送り装置１０の動作状態およびさまざまな複写条件あるいは画像編集条件等の入力に利用される入力キーに対応するキーエリアを表示する液晶表示装置２０１を有している。この液晶表示装置２０１の上面には、液晶表示装置と一体に配置され、液晶表示装置に表示されたさまざまなキーエリアに対応する入力信号を特定するために利用者の指が触れたことを検知するタッチパネル２０２が、一体に形成されている。液晶表示装置２０１には、詳述しない液晶パネルフォントＲＯＭに記憶されている表示データに基づいてさまざまな表示パターンおよび入力キーエリアが表示される。
【００５３】
操作パネル２００にはまた、０〜９の１０個の数字に対応する入力信号を入力可能に形成された数字キー２０３、入力された複写枚数をクリアするクリアキー２０４、複写の開始を指示する複写開始 (プリント) キー２０５、割り込み複写のために割り込み信号を入力する割込複写キー２０６、複写倍率を設定する倍率設定キー２０７、両面−両面、片面−両面などのＡＤＦ８および反転部の動作を設定するモード設定キー２０８、及び、複写画像を転写する用紙の大きさを設定するためにカセットから用紙を送出するための通路を設定するカセット切り換えキー２０９等のさまざまな入力キーが配置されている。
【００５４】
さらに、操作パネル２００は、複写装置本体内で発生したジャムの位置をＬＥＤランプを点灯及び点滅させることによってユーザに報知するＬＥＤパネル２１０を有している。
【００５５】
このＬＥＤパネル２１０は、図４に示すように、複写装置本体の概略断面図中の所定位置に配置された複数のＬＥＤランプを有している。これらのＬＥＤランプは、上述したジャムセンサのセンサ出力に基づいてジャムが発生した際に点灯及び点滅される。すなわち、ジャム発生場所に対応する位置のＬＥＤランプを点灯及び点滅させることにより、ユーザに対してジャム発生を報知するものである。
さらに、これらのＬＥＤランプは、複数の場所でジャムが同時に発生した場合、または複数のユニットでジャム処置する必要がある場合、異なるサイクルで点滅する、または最優先にジャム処理する必要のある場所から順次点灯することにより、ユーザに対して効率的なジャム処理手順を報知するものである。
【００５６】
ジャム発生を報知するためのＬＥＤランプは、図４に示したように、ジャム発生の頻度の高い位置に配置されている。
すなわち、ＬＥＤパネル２１０のＡＤＦ部８Ａには、ＡＤＦ８の原稿給紙側で発生したジャムを報知するＬＥＤランプ（ＤＦＪ）２１１、ＡＤＦ８の原稿排紙側で発生したジャムを報知するＬＥＤランプ（ＤＥＪ）２１２が配置されている。
【００５７】
また、ＬＥＤパネル２１０の用紙カセット部４１Ａ、４２Ａ、４３Ａには、用紙カセット４１、４２、４３から用紙が取り出された際に発生したジャムを報知するＬＥＤランプ２１３、２１４、２１５がそれぞれ配置されている。また、用紙カセット４１〜４３から取り出された用紙が搬送路５４を搬送されている際に搬送路中で発生したジャムを報知するＬＥＤランプ（ＴＪ）２１６が配置されている。
【００５８】
さらに、ＬＥＤパネル２１０の手差しフィーダ部５０Ａには、手差しフィーダ５０から用紙が取り出された際に発生したジャムを報知するＬＥＤランプ（ＭＪ）２１７が配置されている。
【００５９】
また、ＬＥＤパネル２１０の画像形成部６Ａには、いづれかの用紙カセット４１〜４３または手差しフィーダ５０もしくはＡＤＵ６４から取り出された用紙が画像形成部６に搬送される際に、感光体ドラムの上流側の搬送路中で発生したジャムを報知するＬＥＤランプ（ＲＪ）２１８が配置されている。この画像形成部６Ａには、さらに、感光体ドラムの下流側の搬送路中で発生したジャムを報知するＬＥＤランプ（ＥＪ）２１９が配置されている。
【００６０】
さらに、ＬＥＤパネル２１０のＡＤＵ部６４Ａには、画像形成部６により画像形成された用紙がＡＤＵ６４に向けて搬送されている際にＡＤＵ６４内の搬送路中で発生したジャムを報知するＬＥＤランプ（ＡＤＵＪ）２２０が配置されている。
【００６１】
これらのＬＥＤランプ２１１〜２２０は、図５に示すような制御系に基づいて、それぞれ独立して駆動される。
すなわち、複写装置２は、図５に示すように、画像読取部４、画像形成部６等の装置本体の各機構を制御するＣＰＵ３００を有している。複写装置２の各部に配置された複数のジャムセンサＳ１〜Ｓ６、及びＳＡ〜ＳＣは、入力回路３０２を介してＣＰＵ３００に接続されている。
【００６２】
ＬＥＤパネル２１０に配置された複数のＬＥＤランプ２１１〜２２０は、各ＬＥＤランプをそれぞれ独立に駆動可能なＬＥＤ駆動回路３０４に接続されている。ＬＥＤ駆動回路３０４は、各ＬＥＤランプを駆動するための駆動信号が供給されるＣＰＵ３００に接続されている。
【００６３】
ジャムセンサＳ１〜Ｓ６、及びＳＡ〜ＳＣから出力される出力信号は、入力回路３０２を介してＣＰＵ３００に供給される。ＣＰＵ３００は、ジャムセンサからの出力信号に基づいてジャムが発生したか否かを判別し、ジャムが発生した場合には、ジャム発生位置に対応するＬＥＤランプを駆動するためにＬＥＤ駆動回路３０４に対して駆動信号を出力する。
【００６４】
すなわち、ＣＰＵ３００は、クロック信号をカウントするタイマ機能を有し、あるジャムセンサからの出力信号が出力されている時間、またはあるジャムセンサからの出力信号が出力されてから次にジャムセンサからの出力信号が出力されるまでの時間をカウントすることにより、搬送路中でジャムが発生したか否かが判別できる。そして、ジャムが発生したと判別された場合には、ＬＥＤ駆動回路３０４に対して駆動信号を供給する。
【００６５】
ＬＥＤ駆動回路３０４は、ＣＰＵ３００から出力された駆動信号により、所定のＬＥＤランプを点灯または点滅させ、ユーザに対してジャム処理を促すとともに、複数の場所でジャムが発生した場合、または複数の場所でジャム処理する必要がある場合、効率的にジャム処理ができるように、ジャム処理手順をユーザに対して報知する。
【００６６】
次に、ジャムが発生した場合の処理手順の一例を示す。
図６は、ジャムセンサの出力信号に基づくＬＥＤパネルの制御方法の一例を示すフローチャートである。このフローチャートには、画像形成部の下流側とＡＤＵとの間で発生するジャムの処理手順が示されている。
【００６７】
ＡＤＵを使用して用紙の両面に画像を形成する両面複写モードにおいて、片面に画像が形成された用紙は、感光体ドラムの下流側に搬送される。
搬送された用紙は、定着装置５８を通過後にジャムセンサＳ４により検知され、ジャムセンサＳ４がオン状態となる。ジャムセンサＳ４がオンされることにより、ジャムセンサＳ４から出力信号が入力回路３０２を介してＣＰＵ３００に供給される。ＣＰＵ３００は、ジャムセンサＳ４からの出力信号に基づき、タイマ機能を作動させ、ジャムセンサＳ４がオフするまでの時間、すなわちジャムセンサＳ４からの出力信号が出力され続けている継続時間ｔ１をカウントする。
【００６８】
ジャムセンサＳ４がオフされず、出力信号の継続時間ｔ１が所定時間、例えば２．５ｓｅｃを超えてＣＰＵ３００に出力されたとき、ＣＰＵ３００は、ジャムセンサＳ４近傍でジャムが発生したと判断し、ＬＥＤ駆動回路３０４に駆動信号を供給してＬＥＤランプ（ＥＪ）２１９を点滅させる。
【００６９】
そして、ユーザに対して、複写装置本体でジャムが発生したことを報知し、クラムシェルを開けて複写装置本体からジャムした用紙を除去するように意識付ける。
【００７０】
一方、ジャムセンサＳ４がオフすることにより、出力信号の継続時間ｔ１が所定時間内であった場合には、ＣＰＵ３００は、用紙がジャムセンサＳ４を通過したと判断する。そして、ＣＰＵ３００に含まれるタイマがリセットされるとともに、ジャムセンサＳ４がオフしてからジャムセンサＳ５がオンするまでの時間、すなわちジャムセンサＳ４からジャムセンサＳ５までの用紙の搬送時間ｔ２がカウントされる。
【００７１】
ジャムセンサＳ５がオンされず、搬送時間ｔ２が所定時間、例えば２．７ｓｅｃを超えてカウントされたとき、ＣＰＵ３００は、用紙がジャムセンサＳ４とＳ５との間でジャムが発生したと判断する。すなわち、ＣＰＵ３００により、用紙は、複写装置の本体側とＡＤＵとの間で両ユニットにわたってジャムしていると判断される。この時、最初にＡＤＵを複写装置本体の正面側に引き出してジャム処理しようとするとジャム紙が複写装置本体とＡＤＵとの間で引き裂かれる虞がある。そこで、ユーザに対して複写装置本体側のジャム処理を優先するように意識付けて、最初にクラムシェルを開けて本体側からジャム処理するように誘導するために、ＣＰＵ３００は、ＬＥＤ駆動回路３０４に駆動信号を供給してＬＥＤランプ（ＥＪ）２１９を点滅させ、ＬＥＤランプ（ＡＤＵＪ）２２０を点灯させる。
【００７２】
ユーザによりクラムシェルが開放されると、ＬＥＤランプ（ＥＪ）２１９の点滅が停止される。クラムシャルが開放された際に、本体側でジャム紙が発見できない場合、すなわち、本体側からＡＤＵに向かってジャム紙が処理できない位置まで搬送されている場合、ＬＥＤランプ（ＡＤＵＪ）２２０のみが点灯しているので、ユーザに対してＡＤＵを引き出させてジャム処理するように報知することができる。
【００７３】
一方、ジャムセンサＳ５がオンすることにより、搬送時間ｔ２が所定時間内であった場合には、ＣＰＵ３００は、タイマがリセットされるとともに、ジャムセンサＳ５がオンしてからオフするまでの時間、すなわちジャムセンサＳ５からの出力信号の継続時間ｔ３をカウントする。
【００７４】
ジャムセンサＳ５がオンされた後、オフされず、ジャムセンサＳ５からの出力信号の継続時間ｔ３が所定時間、例えば２．５ｓｅｃを超えてカウントされたとき、ＣＰＵ３００は、搬送されている用紙のサイズに基づいてジャム発生位置を判別する。
【００７５】
すなわち、ジャムセンサＳ５は、上述したように、複写装置本体側とＡＤＵとの境界から所定距離Ｌだけ離れたＡＤＵ側に配置されている。したがって、ジャムセンサＳ５がオンされた状態でジャムが発生した際、用紙の長さがＬより長い場合、本体側にジャム紙が掛かっている可能性があるため、ＣＰＵ３００は、ＬＥＤ駆動回路３０４に駆動信号を供給してＬＥＤランプ（ＥＪ）２１９を点滅させ、ＬＥＤランプ（ＡＤＵＪ）２２０を点灯させる。そして、ユーザに対して複写装置本体側のジャム処理を優先するように意識付けて、最初にクラムシェルを開けて本体側からジャム処理するように誘導する。
【００７６】
一方、用紙の長さがＬより短い場合には、ジャム紙が本体及びＡＤＵの両ユニットに掛かっている可能性がないので、ＣＰＵ３００は、ＬＥＤ駆動回路３０４に駆動信号を供給して、ＬＥＤランプ（ＡＤＵＪ）２２０を点滅させる。そして、ユーザに対してＡＤＵを引き出させてジャム処理させるように報知する。
【００７７】
ジャムセンサＳ５がオフすることにより、ジャムセンサＳ５からの出力信号の継続時間ｔ３が所定時間内であった場合には、ＣＰＵ３００は、用紙がジャムセンサＳ５を通過したと判断する。そして、ＣＰＵ３００に含まれるタイマがリセットされるとともに、ジャムセンサＳ５がオフしてからジャムセンサＳ６がオンするまでの時間、すなわちジャムセンサＳ５からジャムセンサＳ６までの用紙の搬送時間ｔ４がカウントされる。
【００７８】
ジャムセンサＳ６がオンされず、搬送時間ｔ４が所定時間、例えば３．０ｓｅｃを超えてカウントされたとき、ＣＰＵ３００は、用紙がジャムセンサＳ５とＳ６との間でジャムが発生したと判断する。
【００７９】
そして、ＣＰＵ３００は、ＬＥＤ駆動回路３０４に駆動信号を供給してＬＥＤランプ（ＡＤＵＪ）２２０を点滅させ、ユーザに対してＡＤＵを引き出させてジャム処理させるように報知する。
【００８０】
一方、ジャムセンサＳ６がオンすることにより、搬送時間ｔ４が所定時間内であった場合には、ＣＰＵ３００は、タイマをリセットする。
また、複数枚の用紙に対して連続複写動作中に同時に複数の場所でジャムが発生した場合には、３以上のＬＥＤランプを点灯及び点滅させる必要があるが、この場合、ＬＥＤの点滅するサイクルを変更することが可能である。すなわち、最も優先的にジャム処理する必要がある場所のＬＥＤランプの点滅サイクルを最も速くしてユーザに対して優先的にジャム処理するように意識付けるようにする。また、ジャム発生箇所に対応する全てのＬＥＤランプを点滅させるとともに、最も優先度の高いＬＥＤランプの点滅サイクルのみを他のＬＥＤランプとは異なるように設定することでユーザに対してジャム処理の手順を報知することも可能である。
【００８１】
また、前記実施例においては、本体とＡＤＵとの間にまたがった用紙ジャムに対して、装置本体内の定着ローラ５８の下流に設けられたジャムセンサＳ４と、装置，ＡＤＵ間の境目からＡＤＵ内に距離Ｌだけ離間したジャムセンサＳ５とを参照して検知していたが、他の実施例として、図７に示すように、装置本体とＡＤＵの境目に配置したジャムセンサＳ４’により検知するようにしてもよい。このようにすることにより、一層明確にジャム処理手順をユーザに明示することができる。
【００８２】
この図７に示す実施例の場合、搬送された用紙が、ジャムセンサＳ４がＯＮ（またはＯＮした後、ＯＦＦ）し、ジャムセンサＳ４’がＯＦＦ（ＯＮしない）の状態でジャムした時、ジャム紙は、必ず装置本体側にあると判断してＬＥＤランプＥＪ２１９を点灯（または点滅）させ、ジャム表示を行う。
【００８３】
また、搬送された用紙が、ジャムセンサＳ４をＯＦＦし、ジャムセンサＳ４’がＯＮの状態でジャムした時、ジャム紙は、装置本体側とＡＤＵとの両方にまたがっていると判断し、ＬＥＤランプＥＪ２１９を点灯（点滅）させ、ジャム表示を行う。そして、ジャムセンサＳ４でのジャムが解除された後、ＡＤＵ側のＬＥＤランプＡＤＵＪ２２０を点灯（点滅）し、ジャム表示を行う。
【００８４】
さらに、搬送された用紙が、ジャムセンサＳ４をＯＦＦし、ジャムセンサＳ４’がＯＮした後にＯＦＦし、ジャムセンサＳ５がＯＦＦの状態でジャムした時、ジャム紙は、ＡＤＵ側にあると判断し、ＬＥＤランプＡＤＵＪ２２０を点灯（点滅）させ、ジャム表示を行う。
【００８５】
これにより、装置本体とＡＤＵとの境界位置でのジャム処理をより正確に行うことが可能となる。
このようにジャムの発生を報知するＬＥＤランプ点灯または点滅パターンの組み合せを変化させ、さらに必要であれば、点滅サイクルを変更することにより、ユーザに対して効率的なジャム処理手順を報知することができる。
【００８６】
したがって、ジャム処理手順を間違えることにより用紙が引き裂かれて散乱したり、複写装置本体内を引き裂かれた紙片で汚すことなどが防止できる。そして、ジャム処理を効率的に達成することができる。
【００８７】
また、この画像形成装置によれば、ジャムセンサの数を増やしたり、操作パネルの構造を大幅に変更することによりコストアップすることなく、的確にジャム発生位置を報知できるとともに、効率的なジャム処理手順を報知できる。
【００８８】
【発明の効果】
以上説明したように、この発明によれば、ジャム処理を効率的に達成できる画像形成装置を提供することができる。
【図面の簡単な説明】
【図１】図１は、この発明の画像形成装置に係る電子写真式ディジタル複写装置の一例を概略的に示す断面図である。
【図２】図２は、図１に示した画像形成装置に適用される操作パネルの一例を概略的に示す平面図である。
【図３】図３は、図１に示した画像形成装置に組み込まれているジャムセンサの配置位置の一例を示す概略断面図である。
【図４】図４は、図２に示した操作パネルに組み込まれているＬＥＤパネルの一例を概略的に示す平面図である。
【図５】図５は、図４に示したＬＥＤパネルのＬＥＤランプを駆動するための制御ブロックを概略的に示す図である。
【図６】図６は、この発明の画像形成装置におけるジャム処理手順の一例を示すフローチャートである。
【図７】図７は、図１に示した画像形成装置に組み込まれているジャムセンサの配置位置の他の例を示す概略断面図である。
【符号の説明】
２…電子写真式ディジタル複写装置
３…筐体
４…画像読取部
６…画像形成部
３０…感光体ドラム
３１…転写チャージャ
３２…レーザ露光装置
３３…現像装置
３４…転写・剥離チャージャ
３６…クリーニング装置
３７…除電装置
４０…多段給紙装置
５０…手差しフィーダ
５４…搬送路
５８…定着装置
６４…自動両面装置
２００…操作パネル
２１０…ＬＥＤパネル
２１１〜２２０…ＬＥＤランプ
３００…ＣＰＵ
３０２…入力回路
３０４…ＬＥＤ駆動回路
Ｓ１〜Ｓ６…ジャムセンサ
ＳＡ〜ＳＣ…ジャムセンサ
【図１】
0003891608.tif 000002
【図２】
0003891608.tif 000003
【図３】
0003891608.tif 000004
【図４】
0003891608.tif 000005
【図５】
0003891608.tif 000006
【図６】
0003891608.tif 000007
【図７】
0003891608.tif 000008